【手続補正書】
【提出日】平成28年2月3日(2016.2.3)
【手続補正１】
【補正対象書類名】明細書
【補正対象項目名】０１２２
【補正方法】変更
【補正の内容】
【０１２２】
前述の内容から、本発明の新概念の真の精神及び範囲から逸脱することなく、多数の改質及び変更を達成することができる、ということに気が付くだろう。説明された具体的な実施形態又は例に関する限定は、全く意図されておらず、又は推測されるべきでない、ということが理解されるべきである。本開示は、添付の請求項により、請求項の範囲に含まれるものとして、すべてのこのような改質をカバーすると意図されている。
本発明の実施態様の一部を以下の項目１−１６に列記する。
[１]
排煙湿式スクラバープロセスにおいて、腐食を最小化する及び／又はセレンを排煙から除去するための方法であって、該方法が、以下のステップを含む、方法。
燃料を燃やし、それにより該排煙を作り出すステップ；及び
該排煙を、スクラバー液及び以下（ｉ）（ｉｉ）のうち少なくとも１つを含む組成物を含む、該排煙湿式スクラバープロセス内に通すステップ
（ｉ）少なくとも２つのモノマー：アクリル−ｘ及びアルキルアミンに由来するポリマーであって、前記アクリル−ｘが以下の式を有する、ポリマー：
【化５】
2015506274.tif 000001
（式中、Ｘ＝ＯＨ及びその塩又はＮＨＲ2であり、Ｒ1及びＲ2はＨ又はアルキル基若しくはアリール基であり、前記ポリマーの分子量は５００〜２００，０００であり、前記ポリマーは改質されて少なくとも１つの金属含有組成物を捕集する能力のある官能基を含む）；及び
（ｉｉ）少なくとも１つのポリチオカルバミンの材料のポリジチオカルバミンの化合物
[２]
該排煙湿式スクラバープロセスが、加えて、遷移金属塩を含む第２の組成物を含む、項目１に記載の方法。
[３]
該排煙湿式スクラバープロセスが、湿式排煙脱硫器プロセスを含む、項目１に記載の方法。
[４]
該官能基がジチオカルバメート塩の基であり、該ポリマーが、前記ジチオカルバメート塩の基を５５〜８０モル％有する、項目１に記載の方法。
[５]
該ポリジチオカルバミンの化合物が、ジチオカルバメート塩の基を３０〜８０モルパーセント含む、項目１に記載の方法。
[６]
該ポリジチオカルバミンの化合物が、５００〜１００，０００Ｄａの分子量を有する、項目１に記載の方法。
[７]
該ポリジチオカルバミンの化合物が、該排煙湿式スクラバープロセス内に、該セレン含量について、１：１〜２０００：１の質量比で存在する、項目１に記載の方法。
[８]
項目１に記載の方法であって、該アクリル−ｘがアクリル酸又はその塩であり、該アルキルアミンがＰＥＨＡ又はＴＥＰＡ又はＤＥＴＡ又はＴＥＴＡ又はＥＤＡであり、アクリル−ｘとアルキルアミンのモル比が０．８５〜１．５であり；前記ポリマーの分子量が１，５００〜８，０００であり；該ポリマーが改質されて５５モルパーセントより多くのジチオカルバミン酸又はその塩を含む、方法。
[９]
該燃料が、石炭、再生石炭、天然ガス、産業廃棄物、ガス化廃棄物バイオマス、及びこれらの任意の組み合わせからなる群より選択される、項目１に記載の方法。
[１０]
該排煙湿式スクラバープロセスが２２０５合金を含む設備を採用する、項目１に記載の方法。
[１１]
（ｉ）少なくとも２つのモノマー：アクリル−ｘ及びアルキルアミン、に由来するポリマーであって、ここで前記アクリル−ｘが該以下の式：
【化６】
2015506274.tif 000002
（式中、Ｘ＝ＯＨ及びその塩又はＮＨＲ2であり、Ｒ1及びＲ2はＨ又はアルキル基若しくはアリール基であり、前記ポリマーの分子量は５００〜２００，０００であり、前記ポリマーは改質されて少なくとも１つの金属含有組成物を捕集する能力のある官能基を含む）を有する、ポリマー；及び
（ｉｉ）遷移金属塩
を含む物質の組成物。
[１２]
該組成物が、加えて、少なくとも１つのポリチオカルバミンの材料のポリジチオカルバミンの化合物を含む、項目１１に記載の組成物。
[１３]
該官能基がジチオカルバメート塩の基であり、該ポリマーが前記ジチオカルバメート塩の基を３０〜５５モル％有する、項目１１に記載の組成物。
[１４]
該アクリル−ｘがアクリル酸又はその塩であり、該アルキルアミンがＰＥＨＡ又はＴＥＰＡ又はＤＥＴＡ又はＴＥＴＡ又はＥＤＡであり、アクリル−ｘとアルキルアミンのモル比が０．８５〜１．５であり；前記ポリマーの分子量が１，５００〜８，０００であり；該ポリマーが改質されて５５モルパーセントより多くのジチオカルバミン酸又はその塩を含む、項目１１に記載の組成物。
[１５]
該遷移金属塩が鉄塩である、項目１１に記載の組成物。
[１６]
該遷移金属塩がマンガン塩である、項目１１に記載の組成物。
本発明の別の実施態様の一部を以下の項目１−１９に列記する。
[１]
排煙湿式スクラバープロセスにおいて、セレンを排煙から除去するための方法であって、該方法が、
排煙を、スクラバー液及び少なくとも１つのポリチオカルバミンの材料のポリジチオカルバミンの化合物を含む、該排煙湿式スクラバープロセス内に通すステップを含む、方法。
[２]
該排煙湿式スクラバープロセスが、少なくとも２つのモノマー：アクリル−ｘ及びアルキルアミンに由来するポリマーであって、前記アクリル−ｘが以下の式を有する、ポリマー：
【化７】
2015506274.tif 000003
（式中、Ｘ＝ＯＨ及びその塩又はＮＨＲ2であり、Ｒ1及びＲ2はＨ又はアルキル基若しくはアリール基であり、前記ポリマーの分子量は５００〜２００，０００であり、前記ポリマーは改質されて少なくとも１つの金属含有組成物を捕集する能力のある官能基を含む）
を含む組成物をさらに含む、項目１に記載の方法。
[３]
該ポリジチオカルバミンの化合物が該ポリマーである、項目２に記載の方法。
[４]
該排煙湿式スクラバープロセスが、遷移金属塩を含む第２の組成物をさらに含む、項目１に記載の方法。
[５]
該排煙湿式スクラバープロセスが、湿式排煙脱硫器プロセスを含む、項目１に記載の方法。
[６]
該ポリジチオカルバミンの化合物が、ジチオカルバメート塩の基を３０〜８０モルパーセント含む、項目１に記載の方法。
[７]
該ポリジチオカルバミンの化合物が、５００〜１００，０００Ｄａの分子量を有する、項目１に記載の方法。
[８]
該ポリジチオカルバミンの化合物が、該排煙湿式スクラバープロセス内に、該セレン含量について、１：１〜２０００：１の質量比で存在する、項目１に記載の方法。
[９]
該排煙が、石炭、再生石炭、天然ガス、産業廃棄物、ガス化廃棄物、バイオマス、及びこれらの組み合わせからなる群より選択される燃料を燃やすことにより生じる、項目１に記載の方法。
[１０]
排煙湿式スクラバープロセスにおいて、腐食を最小化するための方法であって、該方法が、
排煙を、少なくとも１つのポリチオカルバミンの材料のポリジチオカルバミンの化合物を含む、該排煙湿式スクラバープロセス内に通すステップを含む、方法。
[１１]
該排煙湿式スクラバープロセスが、少なくとも２つのモノマー：アクリル−ｘ及びアルキルアミンに由来するポリマーであって、前記アクリル−ｘが以下の式を有する、ポリマー：
【化８】
2015506274.tif 000004
（式中、Ｘ＝ＯＨ及びその塩又はＮＨＲ2であり、Ｒ1及びＲ2はＨ又はアルキル基若しくはアリール基であり、前記ポリマーの分子量は５００〜２００，０００であり、前記ポリマーは改質されて少なくとも１つの金属含有組成物を捕集する能力のある官能基を含む）
をさらに含む、項目１０に記載の方法。
[１２]
該ポリジチオカルバミンの化合物が該ポリマーである、項目１１に記載の方法。
[１３]
該排煙湿式スクラバープロセスが、遷移金属塩をさらに含む、項目１０に記載の方法。
[１４]
該排煙湿式スクラバープロセスが、湿式排煙脱硫器プロセスを含む、項目１０に記載の方法。
[１５]
該排煙湿式スクラバープロセスが２２０５合金を含む設備を採用する、項目１０に記載の方法。
[１６]
該ポリジチオカルバミンの化合物が、ジチオカルバメート塩の基を３０〜８０モルパーセント含む、項目１０に記載の方法。
[１７]
該ポリジチオカルバミンの化合物が、５００〜１００，０００Ｄａの分子量を有する、項目１０に記載の方法。
[１８]
該ポリジチオカルバミンの化合物が、該排煙湿式スクラバープロセス内に、該セレン含量について、１：１〜２０００：１の質量比で存在する、項目１０に記載の方法。
[１９]
該排煙が、石炭、再生石炭、天然ガス、産業廃棄物、ガス化廃棄物、バイオマス、及びこれらの組み合わせからなる群より選択される燃料を燃やすことにより生じる、項目１０に記載の方法。
【手続補正２】
【補正対象書類名】特許請求の範囲
【補正対象項目名】全文
【補正方法】変更
【補正の内容】
【特許請求の範囲】
【請求項１】
排煙湿式スクラバープロセスにおいて、セレンを排煙から除去するための方法であって、該方法が、
排煙を、スクラバー液及び少なくとも１つのポリチオカルバミンの材料のポリジチオカルバミンの化合物を含む、該排煙湿式スクラバープロセス内に通すステップを含む、方法。
【請求項２】
該排煙湿式スクラバープロセスが、少なくとも２つのモノマー：アクリル−ｘ及びアルキルアミンに由来するポリマーであって、前記アクリル−ｘが以下の式を有する、ポリマー：
【化１】
2015506274.tif 000005
（式中、Ｘ＝ＯＨ及びその塩又はＮＨＲ2であり、Ｒ1及びＲ2はＨ又はアルキル基若しくはアリール基であり、前記ポリマーの分子量は５００〜２００，０００であり、前記ポリマーは改質されて少なくとも１つの金属含有組成物を捕集する能力のある官能基を含む）
を含む組成物をさらに含む、請求項１に記載の方法。
【請求項３】
該ポリジチオカルバミンの化合物が該ポリマーである、請求項２に記載の方法。
【請求項４】
該排煙湿式スクラバープロセスが、遷移金属塩を含む第２の組成物をさらに含む、請求項１に記載の方法。
【請求項５】
該排煙湿式スクラバープロセスが、湿式排煙脱硫器プロセスを含む、請求項１に記載の方法。
【請求項６】
該ポリジチオカルバミンの化合物が、ジチオカルバメート塩の基を３０〜８０モルパーセント含む、請求項１に記載の方法。
【請求項７】
該ポリジチオカルバミンの化合物が、５００〜１００，０００Ｄａの分子量を有する、請求項１に記載の方法。
【請求項８】
該ポリジチオカルバミンの化合物が、該排煙湿式スクラバープロセス内に、該セレン含量について、１：１〜２０００：１の質量比で存在する、請求項１に記載の方法。
【請求項９】
該排煙が、石炭、再生石炭、天然ガス、産業廃棄物、ガス化廃棄物、バイオマス、及びこれらの組み合わせからなる群より選択される燃料を燃やすことにより生じる、請求項１に記載の方法。
【請求項１０】
排煙湿式スクラバープロセスにおいて、腐食を最小化するための方法であって、該方法が、
排煙を、少なくとも１つのポリチオカルバミンの材料のポリジチオカルバミンの化合物を含む、該排煙湿式スクラバープロセス内に通すステップを含む、方法。
【請求項１１】
該排煙湿式スクラバープロセスが、少なくとも２つのモノマー：アクリル−ｘ及びアルキルアミンに由来するポリマーであって、前記アクリル−ｘが以下の式を有する、ポリマー：
【化２】
2015506274.tif 000006
（式中、Ｘ＝ＯＨ及びその塩又はＮＨＲ2であり、Ｒ1及びＲ2はＨ又はアルキル基若しくはアリール基であり、前記ポリマーの分子量は５００〜２００，０００であり、前記ポリマーは改質されて少なくとも１つの金属含有組成物を捕集する能力のある官能基を含む）
をさらに含む、請求項１０に記載の方法。
【請求項１２】
該ポリジチオカルバミンの化合物が該ポリマーである、請求項１１に記載の方法。
【請求項１３】
該排煙湿式スクラバープロセスが、遷移金属塩をさらに含む、請求項１０に記載の方法。
【請求項１４】
該排煙湿式スクラバープロセスが、湿式排煙脱硫器プロセスを含む、請求項１０に記載の方法。
【請求項１５】
該排煙湿式スクラバープロセスが２２０５合金を含む設備を採用する、請求項１０に記載の方法。
【請求項１６】
該ポリジチオカルバミンの化合物が、ジチオカルバメート塩の基を３０〜８０モルパーセント含む、請求項１０に記載の方法。
【請求項１７】
該ポリジチオカルバミンの化合物が、５００〜１００，０００Ｄａの分子量を有する、請求項１０に記載の方法。
【請求項１８】
該ポリジチオカルバミンの化合物が、該排煙湿式スクラバープロセス内に、該セレン含量について、１：１〜２０００：１の質量比で存在する、請求項１０に記載の方法。
【請求項１９】
該排煙が、石炭、再生石炭、天然ガス、産業廃棄物、ガス化廃棄物、バイオマス、及びこれらの組み合わせからなる群より選択される燃料を燃やすことにより生じる、請求項１０に記載の方法。